(57)【要約】【課題】製造コストが安く、小型化の容易な表示器であって、カラー表示部と単色表示部とからなる表示本体を有する表示器を提供する。【解決手段】表示器１は、複数色を表示できるカラー表示部２ａおよび単色を表示する単色表示部２ｂからなる表示部２と、階調情報を含む第一記憶部６ａおよび階調情報を含まない第二記憶部６ｂからなる記憶部６と、表示制御する制御部５と、入力情報を送信する入力手段９とを有しており、入力信号９からカラー表示部２ａに対する入力信号を制御部５に入力すると、該制御部５は、カラー表示部２ａに対して複数色の表示をする一方、単色表示部２ｂに対してはカラー表示部２ａの表示に連係して単色表示させることができるため、複数色の表示と単色の表示とを一の回路で制御することができる。【選択図】図３
2007206329.tif 000002
【特許請求の範囲】
【請求項１】
発光ダイオードを階調させて複数色を表示可能としたカラー表示部および一色の発光ダイオードで単色表示する単色表示部からなる表示本体と、該表示本体に表示するための表示データを記憶する記憶部と、該記憶部の表示データを表示部に表示させる制御をする制御部と、該制御部に対する入力情報を出力する入力手段とを有する表示器において、
カラー表示部および単色表示部の表示をするにあたり、
制御部は、カラー表示部に対する入力情報に応じてカラー表示部および単色表示部の表示をそれぞれ制御することを特徴とする表示器。
【請求項２】
請求項１において、記憶部は、階調情報を含むカラー表示部用のカラー表示データと、階調情報を含まない単色表示部の単色表示データとを記憶していることを特徴とする表示器。
【請求項３】
請求項１または２において、制御部は、カラー表示部に表示する燈体の各発光素子が点灯したか否かの発光検知の論理和を演算して単色表示部の燈体の点灯−消灯を制御することを特徴とする表示器。
【請求項４】
請求項１において、記憶部は階調情報を含むカラー表示部用のカラー表示データを記憶しているが、単色表示用の表示データは記憶しないものとし、制御部は、単色表示部に対して、記憶部の表示データから階調情報を除いた表示指令を出力して単色表示をするように制御することを特徴とする表示器。
【請求項５】
燈体が縦横マトリックス状に配置され、燈体を階調して複数色を表示可能なカラー表示部および燈体を階調せず単色を表示する単色表示部からなる表示本体と、該表示本体に表示するための表示データを記憶する記憶部と、該記憶部の表示データを表示部に表示させる制御をする制御部と、該制御部に対する入力情報を出力する入力手段とを有する表示器において、
カラー表示部および単色表示部の表示をするにあたり、
制御部は、単色表示部に対する入力情報に応じてカラー表示部および単色表示部の表示をそれぞれ制御することを特徴とする表示器。
【発明の詳細な説明】
【技術分野】
【０００１】
本発明は、発光ダイオード（ＬＥＤ）により複数色を表示可能なカラー表示部と単色を表示する単色表示部とからなる表示本体を有し、広告や装飾あるいは表示をする表示器の技術分野に属するものである。
【背景技術】
【０００２】
一般に、このような表示器として、単色の発光ダイオードを用いて構成される単色表示をするのものと、該単色表示のものよりは注意喚起力が高いカラー色表示をするものとが知られているが、従来の表示器において、例えば両面表示をする場合、両面とも単色表示をするかカラー表示をするものであった。ところがこのような両面表示をする表示器を、一方通行の道路や、片側が複数車線あるような幅員の広い道路に設置する場合、車両が近づいてくる側の面の表示については搭乗者の高い注意喚起を惹起させるが、車両が通り越して遠ざかる側の面についてはさほど高い注意喚起力が必要ないという要求があり、このような場合には、両面カラー表示の表示器では品質過剰となり、両面単色表示の表示器では品質不足となっているのが実情であった。そこで表示器を、カラー表示ができるカラー表示部と単色表示ができる単色表示部との両者を備えたものとし、これによって注意喚起力に差をつけ、表示器としての品質に過不足がないようにすることが提唱されている（例えば、特許文献１参照。）。
【特許文献１】特開２００２−１６２９３６号公報
【発明の開示】
【発明が解決しようとする課題】
【０００３】
しかしながらこのものは、カラー表示部と単色表示部とを各専用の制御部によって表示制御する構成になっているため、装置自体が大型化するだけでなく、コスト的にも高価なものになってしまうという問題がある。しかもこれらの両表示を同期させるためには、単色表示部用制御部側からカラー表示部用制御部側に文字情報表示信号と同期信号とを入力して行わなければならないため、両制御部同志の連結が必要となるだけでなく、該同期させる場合にはカラー表示はストップ状態になって単色表示しかできなくなってしまい、折角のカラー表示機能が発揮できないという問題も有り、ここに本発明が解決しようとする課題がある。
【課題を解決するための手段】
【０００４】
本発明は、上記の如き実情に鑑みこれらの課題を解決することを目的として創作されたものであって、請求項１の発明は、発光ダイオードを階調させて複数色を表示可能としたカラー表示部および一色の発光ダイオードで単色表示する単色表示部からなる表示本体と、該表示本体に表示するための表示データを記憶する記憶部と、該記憶部の表示データを表示部に表示させる制御をする制御部と、該制御部に対する入力情報を出力する入力手段とを有する表示器において、カラー表示部および単色表示部の表示をするにあたり、制御部は、カラー表示部に対する入力情報に応じてカラー表示部および単色表示部の表示をそれぞれ制御することを特徴とする表示器である。
請求項２の発明は、請求項１において、記憶部は、階調情報を含むカラー表示部用のカラー表示データと、階調情報を含まない単色表示部の単色表示データとを記憶していることを特徴とする表示器である。
請求項３の発明は、請求項１または２において、制御部は、カラー表示部に表示する燈体の各発光素子が点灯したか否かの発光検知の論理和を演算して単色表示部の燈体の点灯−消灯を制御することを特徴とする表示器である。
請求項４の発明は、請求項１において、記憶部は階調情報を含むカラー表示部用のカラー表示データを記憶しているが、単色表示用の表示データは記憶しないものとし、制御部は、単色表示部に対して、記憶部の表示データから階調情報を除いた表示指令を出力して単色表示をするように制御することを特徴とする表示器である。
請求項５の発明は、燈体が縦横マトリックス状に配置され、燈体を階調して複数色を表示可能なカラー表示部および燈体を階調せず単色を表示する単色表示部からなる表示本体と、該表示本体に表示するための表示データを記憶する記憶部と、該記憶部の表示データを表示部に表示させる制御をする制御部と、該制御部に対する入力情報を出力する入力手段とを有する表示器において、カラー表示部および単色表示部の表示をするにあたり、制御部は、単色表示部に対する入力情報に応じてカラー表示部および単色表示部の表示をそれぞれ制御することを特徴とする表示器である。
【発明の効果】
【０００５】
請求項１または５の発明とすることにより、一つの制御部でカラー表示部のカラー表示と単色表示部の単色表示とが同期した制御が容易にできることになって、表示器の製造コストを削減できるうえ、表示器としての品質が過不足ないものになる。
請求項２の発明とすることにより、記憶部に記憶したカラー表示データと単色表示データに基づいてのカラー表示と単色表示の制御が簡単にできることになる。
請求項３の発明とすることにより、カラー表示と単色表示の同期が確実になる。
請求項４の発明とすることにより、単色表示データをいちいち記憶させることなく、カラー表示データを利用して単色表示制御ができることになる。
【発明を実施するための最良の形態】
【０００６】
次に、本発明の実施の形態について、図面に基づいて説明する。図面において、１は本発明が実施された表示器であって、該表示器１は、文字や図形等を表示する表示本体２を備えている。該表示本体２は、複数色を表示可能なカラー表示部２ａと、単色を表示する単色表示部２ｂとからなっている。
【０００７】
カラー表示部２ａは、光の三原色である赤色、緑色、青色の三種類の発光ダイオード３Ｒ、３Ｇ、３Ｂにより構成されるカラー画素ユニット３の複数を縦横マトリックス状に並べて配置したものである。さらにカラー画素ユニット３は、発光ダイオード３Ｒ、３Ｇ、３Ｂの輝度をそれぞれ階調して点灯させることによって複数色を表示可能にしたものである。尚、カラー画素ユニット３は、赤色、緑色、青色の発光ダイオード３Ｒ、３Ｇ、３Ｂのうちから２つを選択したものであってもよく、さらにまた発光ダイオードとしては、赤色、緑色、青色に限定されず橙色、黄色等の各種の色のなかから必要において適宜選択することができることもちろんである。
一方、単色表示部２ｂは、発光ダイオード３Ｒ、３Ｇ、３Ｂのうち１つの発光ダイオードで構成された単色単色画素ユニット４を縦横マトリックス状に配置するが、本実施の形態では、赤色の発光ダイオード４Ｒを用いている。
【０００８】
５はカラー表示部２ａと単色表示部２ｂとの表示を制御する制御部であって、マイクロコンピュータ等を用いて構成されるものであるが、該制御部５は、表示データを書き換え可能な状態で記憶する記憶部６を設けている。該記憶部６には、表示する形状、表示位置等の表示範囲や、階調などの表示データが予め記憶されているが、階調情報を含むカラー表示部２ａ用のカラー表示データが記憶される第一記憶部６ａと、階調情報を含まない単色表示部２ｂ用の単色表示データが記憶される第二記憶部６ｂとからなっている。
【０００９】
尚、７は制御部５からの表示制御指令を受けてカラー表示部２ａのカラー画素ユニット３を点灯させるための第一駆動手段であり、該第一駆動手段７は、カラー画素ユニット３を階調して複数色を表示させることができる。８は制御部５からの表示制御指令を受けて単色表示部２ｂの単色画素ユニット４を点灯させるための第二駆動手段である。
９は制御部５に対して入力信号を入力する入力手段であって、リモートコントローラや表示器１に備えられたスイッチ等である。本実施の形態の前記入力信号は、カラー表示部２ａの表示を指示する信号である。
【００１０】
そして、制御部５は、入力手段９からの入力信号に従ってカラー表示部２ａに文字、図形等を表示させるが、単色表示部２ｂに対してカラー表示部２ａと同一の形状からなる単色表示を連係して表示させる。つまり、制御部５は、入力手段９から入力信号を受信するとカラー表示部２ａに対して第一記憶部６ａからカラー表示データを読み出して表示する一方、単色表示部２ｂに対して、前記カラー表示データと同一形状からなる単色表示データを第二記憶部６ｂから読み出してカラー表示部２ａに略同時に表示するよう制御する。
尚、本実施の形態では、カラー表示部２ａと単色表示部２ｂとは、表示を略同時に表示させるように連繋させたが、一の入力信号により両表示部２ａ、２ｂを表示させるものであることから、様々なタイミングで表示を連繋させることができ、この場合、連係表示を、入力信号送信時に設定したり、予め設定しておいたり、表示後に調節する等、自在に設定できるようにすることも可能である。
また、本実施の形態の単色表示部２ｂは、カラー表示部２ａに表示される形状と同一形状を表示するものであるが、予め各表示部２ａ、２ｂの対応する表示を設定することによって、各表示部２ａ、２ｂに同一の形状が表示されることに限定されないことはもちろんである。
さらに、本実施の形態の入力手段９の入力信号は、カラー表示部２ａに対する表示であったが、単色表示部２ｂの表示を指示する信号であってもよく、この場合、制御部５は、カラー表示部２ａに、単色表示部２ｂの表示に対応して予め設定された表示を、表示するように制御する。
【００１１】
叙述の如く構成された本発明の実施の形態において、表示器１は、複数色を表示できるカラー表示部２ａおよび単色を表示する単色表示部２ｂからなる表示部２と、カラー表示データを記憶する第一記憶部６ａおよび単色表時データを記憶する第二記憶部６ｂからなる記憶部６と、カラー表示部２ａおよび単色表示部２ｂの表示制御をする制御部５と、入力情報を送信する入力手段９とを有しており、入力信号９からカラー表示部２ａに対する入力信号を制御部５に入力すると、該制御部５は、第一記憶部６ａのカラー表示データをカラー表示部２ａに対して複数色の表示をする一方、単色表示部２ｂに対してはカラー表示部２ａの表示に同期するよう第二記憶部６ｂの単色表示データを表示させることができるため、一つの制御部５でカラー表示部２ａのカラー表示と単色表示部２ｂの単色表示とが同期した制御が容易にできることになって、表示器２の製造コストを削減できるうえ、小型化もでき、表示器１としての品質が過不足ないものになる。
【００１２】
尚、本発明は前記実施の形態に限定されるものでないことは勿論であり、第二の実施の形態のようにしても実施することができる。このものにおいて、前記第一の実施の形態と同様のものについては同じ引出し符号を付してその詳細な説明を省略する。
本実施の形態の制御部１０は、カラー表示部２ａのカラー表示と単色表示部２ｂの単色表示との同期を確実にするため、カラー表示部２ａに表示されるカラー表示データについてカラー画素ユニット３毎に各要素の発光の点灯したか否かの点灯検知をし、該点灯検知の論理和を算出して単色表示部２ｂに単色表示させるものである。
【００１３】
具体的には、各発光ダイオード３Ｒ、３Ｇ、３Ｂが点灯しているか否かを点灯検知し、該点灯検知した結果、点灯したと判断した場合を「１」、点灯していないと判断した場合を「０」とした上でカラー画素ユニット３毎に発光ダイオード３Ｒ、３Ｇ、３Ｂの論理和を演算し、論理和が「１」となる場合、算出したカラー画素ユニット３に対応する位置に位置する単色表示部２ｂの単色画素ユニット４を点灯させ、論理和が「０」の場合、対応する位置の単色画素ユニット４を点灯させないことによって、単色表示部２ｂの表示を制御することができる。発光検知は、記憶部６から読み出される表示データや電流補正等から判断される。
【００１４】
尚、第三の実施の形態として、第一実施の形態における制御部４は、第二記憶部６ｂの単色表示データを読み込んでカラー表示部２ａに対応する単色表示する制御をしたが、本実施の形態の制御部１１は、第二記憶部６ｂに単色表示データをいちいち記憶させることなく、第一記憶部６ａのカラー表示データを利用して単色表示制御ができるようにしたものであり、単色表示部２ｂにもカラー表示部２ａに表示するカラー表示データと同一の情報を読み出し、該表示データから階調情報を削除して単色表示をする。因みに、第二駆動手段８を階調補正機能のないものとすることによっても単色表示部２ａを単色表示とすることができる。
【図面の簡単な説明】
【００１５】
【図１】（Ａ）、（Ｂ）、（Ｃ）はそれぞれ表示器１の正面図、背面図、表示部の正面図である。
【図２】（Ａ）、（Ｂ）はそれぞれカラー表示部の一部拡大図、単色表示部の一部拡大図である。
【図３】制御システムのブロック回路図である。
【符号の説明】
【００１６】
１      表示器
２      表示本体
２ａ    カラー表示部
２ｂ    単色表示部
３      カラー画素ユニット
４      単色画素ユニット
５      制御部
６      記憶部
６ａ    第一記憶部
６ｂ    第二記憶部
９      入力手段
【図１】
2007206329.tif 000003
【図２】
2007206329.tif 000004
【図３】
2007206329.tif 000005